(57)【特許請求の範囲】
【請求項１】
電子掲示板が運営されているサーバ装置と，電子決済機能を備え，前記電子掲示板を利用するユーザが所持する携帯端末とから少なくとも構成される電子掲示板システムであって，
前記サーバ装置は，前記電子掲示板に立てられたスレッド毎に，前記スレッドの識別子に対応付けて，前記スレッドの位置情報及び前記スレッドに投稿された口コミ情報を少なくとも記憶し，前記携帯端末の位置情報を含むスレッド送信要求を前記携帯端末から受信すると，前記スレッド送信要求に含まれる位置情報で一意に定まる抽出範囲内に位置情報が含まれる前記スレッドを抽出し，抽出した前記スレッドの前記口コミ情報を前記携帯端末に表示させるスレッド情報を該スレッド毎に生成した後，前記スレッド情報の基になった前記スレッドの識別子と位置情報を付加した前記スレッド情報を前記携帯端末に送信するスレッド送信手段を備え，
前記携帯端末は，前記携帯端末が存在する地点の位置情報を計測する位置計測手段と，実空間の映像を撮影する撮影手段と，前記位置計測手段から取得した位置情報を含む前記スレッド送信要求を前記サーバ装置に行い，前記サーバ装置から前記スレッド情報を受信すると，前記携帯端末が存在する地点の位置情報を原点とする前記撮影手段の視野座標系の座標に該スレッド情報に付加された位置情報を変換した後，前記撮影手段の視野範囲内に前記視野座標系の座標が含まれる前記スレッド情報を特定し，特定した前記スレッド情報の前記視野座標系の座標に対応させて該スレッド情報を前記映像上に表示するスレッド表示手段と，前記携帯端末を利用した電子決済処理の実行を，前記口コミ情報を投稿するイベントとして検知すると，前記位置計測手段から投稿する時点の位置情報を取得し，前記スレッド情報に付加された位置情報で一意に定まる投稿可能範囲内に前記位置計測手段から取得した位置情報が含まれる前記スレッド情報を，前記携帯端末に表示されている前記スレッド情報の中から特定した後，ユーザから前記口コミ情報を取得し，特定した前記スレッド情報に付加された前記スレッドの識別子と，前記位置計測手段から取得した位置情報を付加した該口コミ情報を含む口コミ登録要求を前記サーバ装置に送信する投稿手段を備え，
前記サーバ装置は，前記携帯端末から前記口コミ登録要求が送信されると，前記口コミ登録要求に含まれる識別子で特定される前記スレッドの前記口コミ情報として，前記口コミ登録要求に含まれる前記口コミ情報を記憶する口コミ登録手段を備える，
ことを特徴とする電子掲示板システム。
【請求項２】
前記サーバ装置の前記口コミ登録手段は，特定した前記スレッド情報の位置情報を付加した状態で前記口コミ情報を記憶した後，前記口コミ登録要求に対応する前記スレッドの前記口コミ情報に付加されている前記位置情報の重心位置を算出し，該スレッドの位置情報を該重心位置に補正することを特徴とする，請求項１に記載の電子掲示板システム。
【請求項３】
前記携帯端末の前記投稿手段は，ユーザから前記口コミ情報を取得する前に，前記口コミ情報の投稿を予約する操作を検知すると，特定した前記スレッド情報に付加された識別子と前記位置計測手段から取得した位置情報を含む投稿予約情報を記憶し，前記投稿予約情報を利用する操作を検知すると，ユーザから前記口コミ情報を取得し，前記投稿予約情報に含まれる前記スレッドの識別子及び位置情報を付加した該口コミ情報を含む口コミ登録要求を前記サーバ装置に送信することを特徴とする，請求項１または請求項２に記載の電子掲示板システム。
【請求項４】
前記携帯端末は，前記スレッドを新規に前記電子掲示板に立ち上げる操作を検知すると，前記位置計測手段からこの時点の位置情報を取得した後，該位置情報を含むスレッド生成要求を前記サーバ装置へ送信するスレッド生成要求手段を備え，
前記サーバ装置は，前記携帯端末から前記スレッド生成要求を受信すると，前記スレッド生成要求に対応する前記スレッドの識別子を生成した後，生成した前記スレッドの識別子に対応付けて，前記スレッド生成要求に含まれる位置情報を記憶するスレッド生成手段を備えていることを特徴とする，請求項１から請求項３のいずれか一つに記載の電子掲示板システム。
【請求項５】
請求項１から請求項４のいずれか一つに記載の電子掲示板システムに含まれるサーバ装置。
【請求項６】
請求項１から請求項４のいずれか一つに記載の電子掲示板システムに含まれる携帯端末。
【発明の詳細な説明】
【技術分野】
【０００１】
本発明は，コンピュータ技術を用いて人為的に作り出したコンピュータグラフィックを現実空間から得られる実写映像にリアルタイムで重ね合わせる拡張現実の技術に係わり，更に詳しくは，口コミが投稿される電子掲示の内容を現実空間から得られる実写映像にリアルタイムで重ね合わせる技術に関する。
【背景技術】
【０００２】
現実空間から得られる実写映像に，コンピュータ技術を用いて人為的に作り出したコンピュータグラフィックスをリアルタイムで重ね合わせる拡張現実（Augmented Reality）を利用したサービスが注目を浴びている。
【０００３】
拡張現実を利用するサービスとしては，非特許文献１のように，デジタルカメラで撮影した画像に含まれるマーカに対応した3次元コンピュータグラフィックスを該マーカの向きに合わせて画像上に表示させることも考えられているが，現実空間から得られる実写映像に合わせてコンピュータに登録されている情報をユーザに提示することも考えられている。
【０００４】
例えば，特許文献１では，ユーザは，ユーザが装着しているウェアラブルコンピュータを利用して，カメラで撮影されている実世界の状況を特定する特定情報（例えば，オブジェクトＩＤや実世界の位置）を付与したデータ（画像データ、テキストデータ、音声データ等）をサーバに送信し，サーバは，特定情報を付与したデータをデータベースに格納し，データベースに格納されているデータの中から，ウェアラブルコンピュータから送信された特定情報に対応し，他のウェアラブルコンピュータから送信されたデータを返信することで，特定情報を送信したウェアラブルコンピュータに，実世界の状況に関連するデータを送信する発明が開示されている。
【０００５】
また，拡張現実とは直接的には係わらないかもしれないが，特許文献２では，携帯端末でポインティングデバイスのように扱い，携帯端末でポインティングされた対象（例えば，建物など）に係わる情報をユーザに提供できるシステムが開示されている。
【０００６】
更に，携帯端末に内蔵されたデジタルカメラによって撮影された実写映像上に，該実写映像に含まれる対象物（例えば，建築物）に係わる情報を重ねて表示する拡張現実サービスも，既に携帯端末の一部の機種向けに開発されている。
【０００７】
例えば，acrossair社が提供しているiPhone（登録商標）向けのアプリケーションの一つであるNearestWikiでは，インターネット上の百科事典であるWikipediaをデータリソースとし，ＧＰＳなどで得られる位置情報や電子コンパスで得られる方位情報が用いられ，ユーザがいる地点の近傍に係るデータがディスプレイに表示される。
【０００８】
更に，頓智ドット社が提供しているiPhone（登録商標）等向けのアプリケーションの一つであるセカイカメラでは，「エアタグ」と呼ばれ，ＧＰＳなどで得られる位置データを付加した付加情報（文字・画像・音声）をサーバに記憶させることができ，デジタルカメラで撮影した実写映像にこの地点に関連する付加情報（文字・画像・音声）が重ねて表示される。
【先行技術文献】
【特許文献】
【０００９】
【特許文献１】特開２０００−１９４７２６号公報
【特許文献２】特表２００４−５３１７９１号公報
【非特許文献】
【００１０】
【非特許文献１】Kato, H., Billinghurst, M. (1999)Marker Tracking and HMD Calibration for a video-based Augmented Reality Conferencing System.In Proceedings of the 2nd International Workshop on Augmented Reality (IWAR 99). October, San Francisco, USA.
【発明の概要】
【発明が解決しようとする課題】
【００１１】
これまで述べたように，現実空間から得られる実写映像に合わせてコンピュータに登録されている情報をユーザに提示する手法が様々考えられているが，拡張現実の技術を利用し，ユーザが所持する携帯端末で撮影されている映像に応じて，インターネット上に開設された電子掲示板の内容を携帯端末に表示することはできなかった。
【００１２】
また，現実空間から得られる実写映像に合わせてコンピュータに登録されている情報をユーザに提示する際，コンピュータに登録されている情報の対象（例えば，店舗）となる地点の位置情報がずれていると，カメラで撮影されている映像に表示される情報（例えば，セカイカメラのエアタグ）が，該情報に対応する対象の映像からずれて表示されてしまうケースがあった。
【００１３】
そこで，本発明は，拡張現実の技術を利用し，ユーザが所持する携帯端末で撮影されている映像に応じて，インターネット上に開設された電子掲示板の内容を携帯端末に表示できる電子掲示板システム，該電子掲示板システムを構成するサーバ装置及び携帯端末を提供することを目的とし，更に，コンピュータに登録されている情報の対象（例えば，店舗）となる地点の位置情報を補正できるようにする。
【課題を解決するための手段】
【００１４】
上述した課題を解決する第１の発明は，インターネット上に開設された電子掲示板の内容を携帯端末に表示できるようにした電子掲示板システムで，電子掲示板が運営されているサーバ装置と，電子決済機能を備え，前記電子掲示板を利用するユーザが所持する携帯端末とから少なくとも構成され，前記サーバ装置は，前記電子掲示板に立てられたスレッド毎に，前記スレッドの識別子に対応付けて，前記スレッドの位置情報及び前記スレッドに投稿された口コミ情報を少なくとも記憶し，前記携帯端末の位置情報を含むスレッド送信要求を前記携帯端末から受信すると，前記スレッド送信要求に含まれる位置情報で一意に定まる抽出範囲内に位置情報が含まれる前記スレッドを抽出し，抽出した前記スレッドの前記口コミ情報を前記携帯端末に表示させるスレッド情報を該スレッド毎に生成した後，前記スレッド情報の基になった前記スレッドの識別子と位置情報を付加した前記スレッド情報を前記携帯端末に送信するスレッド送信手段を備え，前記携帯端末は，前記携帯端末が存在する地点の位置情報を計測する位置計測手段と，実空間の映像を撮影する撮影手段と，前記位置計測手段から取得した位置情報を含む前記スレッド送信要求を前記サーバ装置に行い，前記サーバ装置から前記スレッド情報を受信すると，前記携帯端末が存在する地点の位置情報を原点とする前記撮影手段の視野座標系の座標に該スレッド情報に付加された位置情報を変換した後，前記撮影手段の視野範囲内に前記視野座標系の座標が含まれる前記スレッド情報を特定し，特定した前記スレッド情報の前記視野座標系の座標に対応させて該スレッド情報を前記映像上に表示するスレッド表示手段と，前記携帯端末を利用した電子決済処理の実行を，前記口コミ情報を投稿するイベントとして検知すると，前記位置計測手段から投稿する時点の位置情報を取得し，前記スレッド情報に付加された位置情報で一意に定まる投稿可能範囲内に前記位置計測手段から取得した位置情報が含まれる前記スレッド情報を，前記携帯端末に表示されている前記スレッド情報の中から特定した後，ユーザから前記口コミ情報を取得し，特定した前記スレッド情報に付加された前記スレッドの識別子と，前記位置計測手段から取得した位置情報を付加した該口コミ情報を含む口コミ登録要求を前記サーバ装置に送信する投稿手段を備え，前記サーバ装置は，前記携帯端末から前記口コミ登録要求が送信されると，前記口コミ登録要求に含まれる識別子で特定される前記スレッドの前記口コミ情報として，前記口コミ登録要求に含まれる前記口コミ情報を記憶する口コミ登録手段を備えることを特徴とする。
【００１６】
更に，第２の発明は，第１の発明の電子掲示板システムにおいて，前記スレッドの位置情報を補正できるように，前記サーバ装置の前記口コミ登録手段は，特定した前記スレッド情報の位置情報を付加した状態で前記口コミ情報を記憶した後，前記口コミ登録要求に対応する前記スレッドの前記口コミ情報に付加されている前記位置情報の重心位置を算出し，該スレッドの位置情報を該重心位置に補正することを特徴とする。
【００１８】
更に，第３の発明は，第１の発明または第２の発明に記載の電子掲示板システムにおいて，前記口コミ情報の投稿を予約できるように，前記携帯端末の前記投稿手段は，ユーザから前記口コミ情報を取得する前に，前記口コミ情報の投稿を予約する操作を検知すると，特定した前記スレッド情報に付加された識別子と前記位置計測手段から取得した位置情報を含む投稿予約情報を記憶し，前記投稿予約情報を利用する操作を検知すると，ユーザから前記口コミ情報を取得し，前記投稿予約情報に含まれる前記スレッドの識別子及び位置情報を付加した該口コミ情報を含む口コミ登録要求を前記サーバ装置に送信することを特徴とする。
【００１９】
更に，第４の発明は，第１の発明から第３の発明のいずれか一つに記載の電子掲示板システムにおいて，ユーザが新規に前記スレッドを前記電子掲示板に立てられるように，前記携帯端末は，前記スレッドを新規に前記電子掲示板に立ち上げる操作を検知すると，前記位置計測手段からこの時点の位置情報を取得した後，該位置情報を含むスレッド生成要求を前記サーバ装置へ送信するスレッド生成要求手段を備え，前記サーバ装置は，前記携帯端末から前記スレッド生成要求を受信すると，前記スレッド生成要求に対応する前記スレッドの識別子を生成した後，生成した前記スレッドの識別子に対応付けて，前記スレッド生成要求に含まれる位置情報を記憶するスレッド生成手段を備えていることを特徴とする。
【００２０】
更に，第５の発明は，第１の発明から第４の発明のいずれか一つに記載の電子掲示板システムを構成するサーバ装置で，又，第６の発明は，第１の発明から第４の発明のいずれか一つに記載の電子掲示板システムを構成する携帯端末である。
【発明の効果】
【００２１】
このように，本発明によれば，拡張現実の技術を利用し，ユーザが所持する携帯端末で撮影されている映像に応じて，インターネット上に開設された電子掲示板の内容を携帯端末に表示できる電子掲示板システム，該電子掲示板システムを構成するサーバ装置及び携帯端末を提供でき，更に，コンピュータに登録されている情報の対象（例えば，店舗）となる地点の位置情報を補正できる。
【図面の簡単な説明】
【００２２】
【図１】本実施形態における電子掲示板システムを説明する図。
【図２】携帯端末に備えられたハードウェアを説明する図。
【図３】携帯端末に備えられた機能を説明する図。
【図４】携帯端末のスレッド表示手段が実行する処理を説明するフロー図。
【図５】携帯端末に表示される情報を説明する図。
【図６】携帯端末の投稿手段が実行する処理を説明するフロー図。
【図７】投稿予約したスレッドに投稿するときの手順を示したフロー図。
【図８】新規にスレッドを電子掲示板に立てる手順を示したフロー図。
【図９】サーバ装置に備えられたハードウェアを説明する図。
【図１０】サーバ装置に備えられた機能を説明する図。
【図１１】スレッドテーブルを説明する図。
【図１２】口コミテーブルを説明する図。
【図１３】サーバ装置のスレッド送信手段が実行する手順を示したフロー図。
【図１４】サーバ装置のスレッド生成手段が実行する手順を示したフロー図。
【図１５】サーバ装置の口コミ情報登録手段が実行する手順を示したフロー図。
【図１６】スレッドの位置情報の補正効果を説明する図。
【発明を実施するための形態】
【００２３】
ここから，本願発明の技術分野に係わる当業者が，本願発明の内容を理解し，本願発明を実施できる程度に本願発明の実施形態について説明する。なお、これから説明する実施形態は一例にしか過ぎず、これから説明する実施形態に限定されることなく、種々の変形や変更が可能である。
【００２４】
図１は，本実施形態における電子掲示板システム１を説明する図である。図１で図示した電子掲示板システム１は拡張現実を利用したシステムで，図１で図示した電子掲示板システム１には，拡張現実を利用した電子掲示板３００が運営されているサーバ装置３と，電子掲示板システム１のユーザが所持する携帯端末２（例えば，スマートフォン）が装置として含まれ，携帯端末２用の公衆無線回線網４ｂとインターネット４aがネットワークとして含まれている。なお，図１では，携帯端末２を１台として記載しているが，実際は，数多くの携帯端末２からサーバ装置３にアクセス可能なように構成されている。
【００２５】
サーバ装置３で運営されている電子掲示板３００は，スレッドフロート型掲示板であり、ユーザが任意の対象（例えば，店や場所）にスレッドを立てることができ，電子掲示板３００にスレッドが新規に立てられると，新規に立てられたスレッドの属性情報と該スレッドに投稿された口コミ情報を記憶するデータテーブルがサーバ装置３に生成される。
【００２６】
スレッドの属性情報には，スレッドの識別子，名称及び位置情報（緯度・経度），すなわち，スレッドの対象となる対象に係る名称及び該対象が実在する地点の位置情報が含まれ，スレッドの属性情報の位置情報によって，該位置情報に対応する現実空間の地点にスレッドを対応付けていることになる。
【００２７】
ユーザが所持する携帯端末２は，携帯端末２のある地点の位置を計測するデバイスと，携帯端末２の基準線が向いている方位角を計測するデバイスと，携帯端末２の３軸の加速度を検出するデバイスを備え，更に，サーバ装置３で運営されている電子掲示板３００に投稿された口コミ情報を表示する機能と，電子掲示板３００に口コミ情報を投稿する機能をなど備えた電子掲示板アプリケーション２００が実装されている。
【００２８】
サーバ装置３は，電子掲示板アプリケーション２００が動作している携帯端末２から，携帯端末２の位置情報を含むスレッド送信要求を受信すると，スレッド送信要求に含まれる位置情報で一意に定まる抽出範囲内（例えば，該位置情報を中心した所定半径内）に位置情報が設定されているスレッドを抽出し，抽出したスレッド毎に，該スレッドの内容（例えば，スレッドに投稿された口コミ情報の一部又は全て）を表示するスレッド情報を生成し，スレッド送信要求を送信した携帯端末２にスレッド情報を送信する。
【００２９】
サーバ装置３から携帯端末２に送信されるスレッド情報には，スレッド情報に対応するスレッドの識別子であるスレッドＩＤ，スレッドの名称，スレッドの位置情報などが付加され，携帯端末２上で動作している電子掲示板アプリケーション２００は，サーバ装置３からスレッド情報を受信すると，カメラで撮影している方位角である撮影方位角を参照し，カメラで撮影している映像に位置情報が含まれるスレッド情報と該スレッド情報の位置情報に対応する映像上の位置を特定し，特定した映像上の位置に対応させてスレッド情報を映像上に表示する。
【００３０】
このように，電子掲示板３００に立てられたスレッドに位置情報を付加しておくことで，電子掲示板３００を利用するユーザに対し，携帯端末２を所持するユーザがいる地点の近傍にある対象に係る口コミ情報をユーザに提供できるようになるため，知識のない場所にユーザが訪れた場合でもあっても，その場所の近傍で話題になっている対象物や話題の内容がわかるようになる。
【００３１】
また，ユーザが任意の対象にスレッドを立てることができるようにすると，スレッドの位置情報は，スレッドを立てた時にユーザが所持する携帯端末２で計測した位置情報になるが，携帯端末２で計測した位置情報は，実際の値と比較して１０〜数百ｍ程度の誤差が生じることがあるため，スレッドの位置情報に誤差があると，携帯端末２におけるスレッド情報の表示位置が実際とずれ，建築物が密集しているような場所では，ある建築物に係わるスレッド情報が他の建築物の映像上に表示されてしまうことがあるため，サーバ装置３には，スレッドの属性情報に含まれる位置情報を補正する機能が備えられている。
【００３２】
具体的に，図１で図示した電子掲示板システム１では，携帯端末２側で，ユーザがスレッドに投稿する口コミ情報に位置情報を付加するようにし，サーバ装置３側で，口コミ情報が投稿されたスレッドに投稿される毎に，スレッドの属性情報に含まれる位置情報をスレッドに投稿された口コミ情報に付加された位置情報の重心位置を求めることにより補正する。
【００３３】
スレッドには，スレッドに対応する対象に係る口コミ情報が集まるため，口コミ情報に付加された位置情報の重心位置は，スレッドに対応する対象が実際にある位置に近づくため，スレッドの属性情報に含まれる位置情報の誤差を少なくできる。
【００３４】
ここから，図１を図示した電子掲示板システム１を構成する携帯端末２について詳細に説明する。図２は，携帯端末２に備えられたハードウェアを説明する図で，図３は，携帯端末２に備えられた機能を説明する図である。
【００３５】
図２に図示したように，携帯端末２には，無線通信するときに利用する無線通信用アンテナ２ｊ，無線通信に係わる高周波処理を担う無線通信回路２a，携帯端末２に係わる様々な処理を担うベースバンド回路２ｂ，公衆無線回線網４ｂの中継ポイントから受信した電波の強度を利用して携帯端末２の位置情報（緯度・経度）を計測する位置計測回路２ｃ，携帯端末２の基準位置が向いている方位角を計測する電子コンパス回路２ｄ，携帯端末２の加速度を計測する３軸加速度計測回路２ｅ，レンズなどの光学系に加え画像素子を有するカメラ回路２ｆ，表示デバイスと操作パネルの機能を兼ね備えたタッチパネル２ｇ，タッチパネル２ｇを制御するタッチパネル制御回路２ｈ，時刻を計測する時計回路２ｉなどが備えられている。
【００３６】
携帯端末２に実装されているベースバンド回路２ｂとは，演算プロセッサ，ＲＯＭ，ＲＡＭなどが実装された回路で，ベースバンド回路２ｂ上で動作するアプリケーションの一つとして上述した電子掲示板アプリケーション２００が実装されている。
【００３７】
図３で図示した各手段は，携帯端末２に実装された電子掲示板アプリケーション２００によって，携帯端末２に備えられる機能を示し，携帯端末２上で電子掲示板アプリケーション２００が起動することで，携帯端末２には，携帯端末２が存在する地点の位置情報を計測する位置計測手段２０と，実空間の映像を撮影する撮影手段２１と，携帯端末２の基準位置が向いている方位角を計測する方位計測手段２２と，携帯端末２のモーションを検出するモーション検出手段２３と，サーバ装置３にスレッド送信要求を行い，カメラで撮影している方位角である撮影方位角とスレッド情報の位置情報から，携帯端末２に表示するスレッド情報と画面上の位置を求め，携帯端末２にスレッド情報を表示するスレッド表示手段２４と，ユーザが口コミ情報を電子掲示板３００に投稿するきに作動する投稿手段２５と，ユーザがスレッドを電子掲示板３００に立ち上げるときに作動するスレッド生成要求手段２６が備えられる。
【００３８】
携帯端末２に備えられた位置計測手段２０は，携帯端末２の位置計測回路２ｃを利用してこの地点の位置情報（緯度・経度）を計測する手段である。携帯端末２の位置情報を計測する手法としては，ＧＰＳ（Global Positioning System）の人工衛星を利用する手法や，携帯端末２が無線通信可能な中継ポイントとの通信時間に従い携帯端末２内部で位置情報を計測する手法などがあるが，いずれの手法を用いてもよい。
【００３９】
携帯端末２に備えられた撮影手段２１は，携帯端末２のカメラ回路２ｆを作動させ，カメラ回路２ｆで撮影された映像を取得する手段で，携帯端末２の方位角を計測する方位計測手段２２は，携帯端末２の電子コンパス回路２ｄから，携帯端末２の基準位置が向いている方位角を取得する手段である。
【００４０】
モーション検出手段２３は，携帯端末２の３軸加速度計測回路２ｅから得られる加速度を基に，携帯端末２のモーションとして，携帯端末２の位置方向に係わる変位量と携帯端末２の回転を検出する手段である。携帯端末２の位置に係わる変位量は，携帯端末２の位置に係わる２軸の加速度を時間的に２重積分することで求められ，更に，携帯端末２の回転は，携帯端末２の位置方向に係わる２軸の加速度から，携帯端末２の回転に係る軸に回転が生じているかによって求められる。
【００４１】
携帯端末２に備えられたスレッド表示手段２４は，撮影手段２１を作動させ，カメラ回路２ｆが撮影している映像をタッチパネル２ｇにリアルタイムで表示する処理を実行した後，サーバ装置３にスレッド送信要求を行い，サーバ装置３からスレッド情報を受信すると，カメラで撮影している方位角である撮影方位角を参照し，カメラで撮影している映像に位置情報が含まれるスレッド情報と該スレッド情報の位置情報に対応する映像上の位置を特定し，特定した映像上の位置に対応させてスレッド情報を映像上に表示する手段である。
【００４２】
図４は，携帯端末２のスレッド表示手段２４が実行する処理を説明するフロー図である。携帯端末２上で電子掲示板アプリケーション２００が起動すると，携帯端末２のスレッド表示手段２４は自動的に起動し（Ｓ１），サーバ装置３で運営されている電子掲示板３００にログインする画面を表示させ，ログインするユーザのユーザ名及び認証コード（例えば，パスフレーズ）を含むメッセージであるログイン要求を，電子掲示板３００にログインするためのサーバ装置３のＵＲＬに対して送信する（Ｓ２）。
【００４３】
そして，ログインに成功したことを示すメッセージをサーバ装置３から受信すると，携帯端末２のスレッド表示手段２４は，携帯端末２の撮影手段２１を作動させて映像の撮影を開始し，カメラ回路２ｆが撮影している映像をリアルタイムで携帯端末２のタッチパネル２ｇに表示する処理を開始する（Ｓ３）。
【００４４】
カメラ回路２ｆが撮影している映像を携帯端末２のタッチパネル２ｇに表示する処理を実行すると，携帯端末２のスレッド表示手段２４は，位置計測手段２０を利用して，この時点における携帯端末２の位置情報を取得して保持し，スレッド情報を送信要求するためのサーバ装置３のＵＲＬに対して，携帯端末２の位置情報を含むメッセージであるスレッド送信要求を送信する（Ｓ４）。
【００４５】
携帯端末２のスレッド表示手段２４は，スレッド送信要求をした後に，サーバ装置３からスレッド情報を受信すると（Ｓ５），スレッド情報を表示するために，方位計測手段２２から方位角を取得し，携帯端末２の基準線とカメラ回路２ｆの光学系の基準線との角度差を利用して撮影方位角を求め（Ｓ６），携帯端末２が存在する地点の位置情報を原点とする撮影手段の視野座標系の座標に該スレッド情報に付加された位置情報を変換した後，カメラ回路２ｆの視野範囲内に視野座標系の座標が含まれるスレッド情報を抽出する（Ｓ７）。
【００４６】
そして，携帯端末２のスレッド表示手段２４は，特定したスレッド情報の視野座標系の座標に対応させ，撮影手段２１がカメラ回路２ｆから取得した映像に該スレッド情報を合成表示させる（Ｓ８）。なお，複数のスレッド情報が重なり合う場合は，携帯端末２からの距離が近いスレッド情報を手前に表示し，後側のスレッド情報の一部が目視できるようにスレッド情報を表示する。
【００４７】
携帯端末２のスレッド表示手段２４は，サーバ装置３から送信されたスレッド情報を表示すると，モーション検出手段２３が計測している３軸毎の変位量を監視し（Ｓ９），モーション検出手段２３が検出している携帯端末２のモーションに応じて処理を分岐させる（Ｓ１０）。
【００４８】
携帯端末２の位置に係わる変位量が上限値以上になった場合，スレッド送信要求をした地点から離れた地点にユーザが移動したと判断し，Ｓ３の処理に戻り，スレッド送信要求をサーバ装置３に行い，スレッド情報を表示する処理を行う。また，携帯端末２の位置に係わる変位量が下限値以上／上限値未満になった場合，又は，携帯端末２の回転が発生した場合，携帯端末２のスレッド表示手段２４はＳ７の処理を実行し，スレッド情報を表示する処理を実施する。
【００４９】
なお，電子掲示板アプリケーション２００が携帯端末２上で終了すると（Ｓ１１），図４で図示した手順は終了する。
【００５０】
図５は，携帯端末２に表示される情報を説明する図で，図５（ａ）は，カメラ回路２ｆで撮影した映像で，図５（ｂ）は，スレッド情報が表示されている映像である。図４を用いて説明した手順が実行されることで，図５（ｂ）で図示したように，携帯端末２のタッチパネル２ｇ上には，カメラ回路２ｆで撮影した図５（ａ）の映像上に，サーバ装置３から送信された３つのスレッド情報６ａ，ｂ，ｃが合成されて表示されている。
【００５１】
図５（ｂ）において，３つのスレッド情報６ａ，ｂ，ｃは図５（ａ）で図示したＳｈｏｐ＿Ａ〜Ｃにそれぞれ対応している。スレッド情報６ａ，ｂ，ｃはふきだしの形態で表示されており，ふきだしの三角形の頂点によって，スレッド情報６ａ，ｂ，ｃが対応している映像上の位置が紐付けられている。
【００５２】
また，図５（ａ）で図示したように，Ｓｈｏｐ＿ＡはＳｈｏｐ＿Ｂより手前になるため，Ｓｈｏｐ＿Ａに対応するスレッド情報６ａは，Ｓｈｏｐ＿Ｂに対応するスレッド情報６ｂより手前に表示されている
【００５３】
次に，携帯端末２に備えられた投稿手段２５について説明する。携帯端末２に備えられた投稿手段２５は，ユーザがいる地点に対応したスレッドにユーザの口コミ情報を投稿する手段である。
【００５４】
これまでの説明でもわかるように，ユーザがいる地点の近傍に位置情報が設定されているスレッドの内容が，ユーザが所持する携帯端末２のタッチパネル２ｇ上に表示されるため，ユーザが口コミ情報を投稿できるスレッドは，ユーザがいる地点に位置情報が設定されているスレッドに限定される。
【００５５】
図６は，携帯端末２の投稿手段２５が実行する処理を説明するフロー図である。タッチパネル２ｇ上に表示されているアイコン（例えば，図５のアイコン６ｄ）をユーザがタップするなど，電子掲示板アプリケーション２００が，口コミ情報を投稿するイベントの発生を検知すると（Ｓ２０），携帯端末２の投稿手段２５が起動し，投稿手段２５は，口コミ情報の投稿に係る処理を開始する。
【００５６】
携帯端末２の投稿手段２５は起動すると，携帯端末２の投稿手段２５は，位置計測手段２０からこの時点の携帯端末２の位置情報を取得し（Ｓ２１），携帯端末２に表示されているスレッド情報の中から，該スレッド情報の位置情報で一意に定まる投稿可能範囲内（例えば，該位置情報を中心とした所定半径内）に携帯端末２の位置情報が含まれるスレッド情報を，口コミ情報が投稿可能なスレッド情報として特定する（Ｓ２２）。
【００５７】
口コミ情報が投稿可能なスレッド情報を特定すると，携帯端末２の投稿手段２５は，口コミ情報の投稿実行もしくは投稿予約をユーザに選択させる画面を表示させ（Ｓ２３），ユーザが選択した内容に応じて処理を分岐させる（Ｓ２４）。
【００５８】
口コミ情報の投稿実行をユーザが選択した場合，携帯端末２の投稿手段２５は，タッチパネル２ｇ上にソフトウェアキーボードを表示させ，ユーザが該ソフトウェアキーボードを用いて入力したテキストを口コミ情報として取得する（Ｓ２５）。
【００５９】
携帯端末２の投稿手段２５は，口コミ情報を取得すると，Ｓ２２で特定したスレッド情報に付加されているスレッドＩＤ及びＳ２１で取得した位置情報を付加した口コミ情報を含むメッセージである口コミ投稿要求を，口コミ情報を投稿するためのサーバ装置３のＵＲＬに対して送信し（Ｓ２６），この手順を終了する。
【００６０】
また，Ｓ２４にて，口コミ情報の投稿予約をユーザが選択した場合，携帯端末２の投稿手段２５は，タッチパネル２ｇ上にソフトウェアキーボードを表示させることなく，Ｓ２１で取得した携帯端末２の位置情報とＳ２２で特定したスレッド情報のスレッドＩＤを含む投稿予約情報を携帯端末２のメモリに記憶し（Ｓ２７），この手順を終了する。
【００６１】
図７は，投稿予約したスレッドに投稿するときの手順を示したフロー図である。携帯端末２で動作している電子掲示板アプリケーション２００が，タッチパネル２ｇ上に表示されているアイコン（例えば，図５のアイコン６ｂ）をユーザがタップするなど，投稿予約情報を利用するイベントの発生を検知すると（Ｓ３０），携帯端末２の投稿手段２５は，携帯端末２のメモリに記憶されている投稿予約情報の一覧を表示させ，ユーザに投稿予約情報を選択させた後（Ｓ３１），タッチパネル２ｇ上にソフトウェアキーボードを表示させ，ユーザが該ソフトウェアキーボードを用いて入力したテキストを口コミ情報として取得する（Ｓ３２）。
【００６２】
口コミ情報を取得すると，携帯端末２の投稿手段２５は，Ｓ３１でユーザが選択した投稿予約情報の含まれているスレッドＩＤ，ユーザが選択した投稿予約情報に含まれている位置情報を付加した口コミ情報を含む口コミ登録要求を，口コミ情報を投稿するためのサーバ装置３のＵＲＬに対して送信し（Ｓ３３），この手順を終了する。投稿予約が行えることにより、ユーザが、投稿するスレッドの位置近傍で口コミ情報を登録することなく、後で口コミ情報を投稿することができるようになる。
【００６３】
図８は，新規にスレッドを電子掲示板３００に立てる手順を示したフロー図である。携帯端末２で動作している電子掲示板アプリケーション２００が，タッチパネル２ｇ上に表示されているアイコン（例えば，図５のアイコン６ｃ）をユーザがタップするなど，新規にスレッドを電子掲示板３００に立てるイベントの発生を検知すると（Ｓ４０），新規に電子掲示板３００に立てるスレッドの位置情報として，この時点の携帯端末２の位置情報を位置計測手段２０から取得する（Ｓ４１）。
【００６４】
新規に立てるスレッドの位置情報を取得すると，携帯端末２のスレッド生成要求手段２６は，電子掲示板３００に立てるスレッドの名称と口コミ情報を入力させる画面をタッチパネル２ｇに表示させた後，ユーザがソフトウェアキーボードを用いスレッドの名称として該画面に入力したテキストをスレッドの名称として取得し（Ｓ４２），更に，ユーザがソフトウェアキーボードを用い口コミ情報として該画面に入力したテキストを新規に立てるスレッドの最初の口コミ情報として取得した後（Ｓ４３），Ｓ４２でユーザから取得したスレッドの名称，Ｓ４３で取得した最初の口コミ情報及びS４１で取得した携帯端末２の位置情報を少なくとも含むメッセージであるスレッド生成要求を，スレッドを立てるためのサーバ装置３のＵＲＬに対して送信し（Ｓ４４），この手順を終了する。
【００６５】
次に，図１で図示した電子掲示板システム１を構成するサーバ装置３について説明する。図９は，サーバ装置３に備えられたハードウェアを説明する図で，図１０は，サーバ装置３に備えられた機能を説明する図である。
【００６６】
サーバ装置３は汎用のウェブサーバで実現され，図９に図示したように，サーバ装置３には，ハードウェアとして，ＣＰＵ3ａ（CPU: Central Processing Unit）と、ＢＩＯＳが実装されるＲＯＭ３ｂ（ROM: Read-Only Memory）と、コンピュータのメインメモリであるＲＡＭ３ｃ（RAM: Random Access Memory）と、外部記憶装置として大容量のデータ記憶装置３ｄ（例えば，ハードディスク）と，外部デバイスとデータ通信するための入出力インターフェース３ｅと、ネットワーク通信するためのネットワークインターフェース３ｆと、ディスプレイ３ｇと，文字入力デバイス３ｈと，ポインティングデバイス３ｉ，時刻を計測する時計回路３ｊなどが備えられ，データ記憶装置３ｄには，電子掲示板３００に必要な機能を実現するためのコンピュータプログラムが記憶され，更に，複数のデータベース（DB: DataBase）が設けられている。
【００６７】
図１０で図示した各手段は，電子掲示板３００に必要な機能を実現するためのコンピュータプログラムによって，サーバ装置３に備えられる機能を示し，サーバ装置３には，携帯端末２からスレッド送信要求を受けると，スレッド送信要求に対応するスレッド情報を携帯端末２に送信するスレッド送信手段３０と，携帯端末２からスレッドを立てるスレッド生成要求を受けると，スレッド生成要求を受けたスレッドを電子掲示板３００に立てるスレッド生成手段３１と，携帯端末２から受信した口コミ情報をサーバ装置３に登録する口コミ情報登録手段３２と，電子掲示板３００にログインするユーザを認証するユーザ認証手段３３が備えられ，更に，サーバ装置３のデータ記憶装置３ｄには，電子掲示板３００に係る情報を記憶するテーブルとして，スレッドの属性情報を記憶するスレッドテーブル３４と，ユーザが投稿した口コミ情報を記憶する口コミテーブル３５がスレッド毎に設けられている。
【００６８】
まず，サーバ装置３に設けられた各テーブルについて説明する。図１１は，サーバ装置３に備えられたスレッドテーブル３４を説明する図である。
【００６９】
図１１で図示したように，スレッドテーブル３４には，電子掲示板３００に立てられたスレッド毎に，スレッドの属性情報を記憶するレコード３４ａが設けられ，このレコード３４ａには，スレッドの識別子であるスレッドＩＤ，スレッドの名称，スレッドの位置情報，スレッドに投稿された口コミ情報の数を示す口コミ件数，スレッドが立てられた日時を示すスレッド生成日時，属性情報が更新された日時を示す更新日時を記憶するカラムが設けられている。
【００７０】
携帯端末２からスレッド生成要求を受けたとき，スレッド生成要求に対応するレコード３４ａがスレッドテーブル３４に新規に追加され，新規に追加したレコード３４aのスレッドＩＤは，スレッド生成要求を受けた時にサーバ装置３が生成する文字列で，新規に追加したレコード３４aのスレッド生成日時は，スレッド生成要求を受けた時点の日時になる。
【００７１】
また，新規に追加したレコード３４aのスレッドの名称は，スレッド生成要求に含まれるスレッドの名称になり，新規に追加したレコード３４aの位置情報は，スレッド生成要求に含まれるスレッドの位置情報で，新規に追加したレコード３４aの口コミ件数は「０」で，新規に追加したレコード３４aの更新日時の初期値は，スレッド生成要求を受けた時点の日時である。
【００７２】
そして，スレッドに口コミ情報が投稿されると，口コミ情報が投稿されたスレッドのスレッドテーブル３４の位置情報は，該スレッドに対応する口コミテーブル３５に記憶されている口コミ情報に付加された位置情報の重心位置に更新され，スレッドテーブル３４の口コミ件数は一つインクリメントされ，スレッドテーブル３４の更新日時は口コミ情報が投稿された時点の日時に更新される。
【００７３】
図１２は，サーバ装置３に設けられた口コミテーブル３５を説明する図である。図１２に図示したように，口コミテーブル３５は，電子掲示板３００に立てられたスレッド毎にサーバ装置３に設けられる。口コミテーブル３５には，口コミテーブル３５が対応するスレッドに投稿された口コミ情報毎に，口コミ情報を記憶するレコード３５ａが設けられ，このレコード３５ａには，口コミ情報の識別子である口コミＩＤ，口コミテーブル３５に対応するスレッドに投稿された口コミ情報，該口コミ情報に付加された位置情報，該口コミ情報が投稿されたときの投稿日時，該口コミ情報を投稿したユーザのユーザ名（電子掲示板３００にログインしたユーザのユーザ名）を記憶するカラムが設けられている。
【００７４】
携帯端末２から口コミ情報が投稿されると，口コミ情報が投稿されたスレッドに対応する口コミテーブル３５にレコード３５ａが新規に追加される。口コミテーブル３５の口コミＩＤは，スレッド生成要求を受けた時にサーバ装置３が生成する文字列で，口コミテーブル３５の投稿日時は，口コミ情報が投稿された時点の日時になる。
【００７５】
また，新規に追加したレコード３５ａの口コミ情報は，携帯端末２から受信した口コミ登録要求に含まれる口コミ情報になる。更に，新規に追加したレコード３５ａの位置情報は，携帯端末２から受信した口コミ登録要求に含まれる口コミ情報に付加された位置情報である。更に，新規に追加したレコード３５ａのユーザ名は，電子掲示板３００にユーザがログインしたときのユーザ名である。
【００７６】
次に，サーバ装置３に備えられたユーザ認証手段３３について説明する。サーバ装置３に備えられたユーザ認証手段３３は，携帯端末２からログイン要求を受けると，ログイン要求したユーザを認証する手段で，ログイン要求に含まれる認証コードの認証に成功すると，携帯端末２とサーバ装置３間の他のセッションが許可される。なお，サーバ装置３に備えられたユーザ認証手段３３の詳細な内容は記載しないが，本実施形態では，ユーザ名に関連付けて参照コードを記憶したデータベースを参照し，ログイン要求に含まれる認証コードを認証する手段としている。
【００７７】
次に，サーバ装置３に備えられたスレッド送信手段３０について説明する。サーバ装置３のスレッド送信手段３０は，スレッド情報を携帯端末２へ送信するセッションを実行する手段で，携帯端末２からスレッド送信要求を受けると，スレッド送信要求に対応するスレッド情報を携帯端末２に送信するために，これから述べる手順を実行する。
【００７８】
図１３は，サーバ装置３のスレッド送信手段３０が実行する手順を示したフロー図である。サーバ装置３に備えられたスレッド送信手段３０は，携帯端末２からスレッド送信要求を受けると，スレッド情報を携帯端末２へ送信する処理を開始する（Ｓ５０）。
【００７９】
サーバ装置３のスレッド送信手段３０は，携帯端末２からスレッド送信要求を受信すると，携帯端末２から受信したスレッド送信要求の位置情報で一意に定まる抽出範囲（例えば，該位置情報を中心した所定半径内）を算出し（Ｓ５１），算出した抽出範囲内に位置情報が含まれるスレッドとして，スレッドテーブル３４の各レコード３４aを参照し，該抽出範囲内に位置情報が含まれるレコード３４aを全て抽出する（Ｓ５２）。
【００８０】
抽出範囲内に位置情報が含まれるスレッドを抽出すると，サーバ装置３のスレッド送信手段３０は，抽出したスレッド，すなわち，スレッドテーブル３４から抽出したレコード３４aを対象としループ処理（Ｌ１）を実行することで，抽出したスレッド毎に，スレッド送信要求をした携帯端末２へ送信するスレッド情報を生成する。
【００８１】
ループ処理（Ｌ１）において，サーバ装置３のスレッド送信手段３０は，ループ処理（Ｌ１）の対象となるスレッドに投稿された口コミ情報の内容，すなわち，ループ処理（Ｌ１）の対象となるレコード３４aに記憶されているスレッドＩＤに対応した口コミテーブル３５に記憶されている口コミ情報の内容を携帯端末２に表示させるスレッド情報を生成する（Ｓ５３）。
【００８２】
スレッドの内容を表示するスレッド情報は任意でよいが，対象物が話題になっている尺度として，口コミテーブル３５の口コミ件数をスレッド情報に含ませ，更に，話題の内容として，口コミテーブル３５に記憶されている口コミ情報の全て又は一部や口コミ情報のネガティブ／ポジティブの判定結果をスレッド情報に含ませるとよい。ネガティブ／ポジティブの判定は、ネガティブ表現、ポジティブ表現、それぞれの辞書を用意し、口コミ情報にどちらの表現が含まれているかで判定することができる。
【００８３】
サーバ装置３のスレッド送信手段３０は，ループ処理（Ｌ１）の対象となるスレッドのスレッド情報を生成すると，ループ処理（Ｌ１）の対象となるスレッドの位置情報，すなわち，ループ処理（Ｌ１）の対象となるレコード３４に記憶されている位置情報をスレッド情報に付加して記憶し（Ｓ５４），抽出範囲内に位置情報が含まれる全てのスレッド，すなわち，スレッドテーブル３４から抽出した全てのレコード３４aについてループ処理（Ｌ１）を実行すると，ループ処理（Ｌ１）は終了する。
【００８４】
サーバ装置３のスレッド送信手段３０は，ループ処理（Ｌ１）を実行することで，抽出範囲内に位置情報が含まれる全てのスレッドについて位置情報を付加したスレッド情報を生成すると，位置情報を付加したスレッド情報全てを携帯端末２へ送信し（Ｓ５５），この手順は終了する。
【００８５】
次に，サーバ装置３に備えられたスレッド生成手段３１について説明する。サーバ装置３のスレッド生成手段３１は，スレッドを立てるセッションを実行する手段である。本実施形態では，携帯端末２から受けたスレッド生成要求されたスレッドの属性情報を記憶するレコード３４ａをスレッドテーブル３４に追加することで，スレッド生成要求を受けたスレッドを電子掲示板３００に立てたことになるため，サーバ装置３に備えられたスレッド生成手段３１は，スレッド生成要求を受けたスレッドを電子掲示板３００に立てるために，これから述べる手順を実行する。
【００８６】
図１４は，サーバ装置３のスレッド生成手段３１が実行する手順を示したフロー図である。サーバ装置３に備えられたスレッド生成手段３１は，スレッドを立てるためのサーバ装置３のＵＲＬに対してスレッド生成要求が送信されると，電子掲示板３００にスレッドを立てる処理を開始する（Ｓ６０）。
【００８７】
サーバ装置３のスレッド生成手段３１は，携帯端末２からスレッド生成要求を受信すると，該スレッド生成要求に対応するスレッドの属性情報を記憶するために，各カラムの値が初期値のレコード３４ａをスレッドテーブル３４に新規に追加し（Ｓ６１），新規に追加したレコード３４ａのスレッドＩＤの値を所定のアルゴリズム（例えば，連番）で生成し，生成した値を新規に追加したレコード３４ａの対応するカラムに書き込む（Ｓ６２）。
【００８８】
次に，サーバ装置３のスレッド生成手段３１は，携帯端末２から受信したスレッド生成要求に含まれるスレッドの名称及び位置情報を，スレッドテーブル３４に新規に追加したレコードの対応するカラムに書き込んだ後（Ｓ６３），携帯端末２からスレッド生成要求を受信した時点の日時を生成日時としてスレッドテーブル３４に新規に追加したレコードの対応するカラムに書き込む（Ｓ６４）。
【００８９】
サーバ装置３のスレッド生成手段３１は，新規に立てるスレッドの属性情報を記憶するレコード３４ａをスレッドテーブル３４に書き込むと，Ｓ６２で生成したスレッドＩＤに対応する口コミテーブル３５を新規に生成し（Ｓ６５），該口コミテーブル３５の最初のレコード３５ａの口コミＩＤの値を所定のアルゴリズム（例えば，連番）で生成し，生成した値を最初のレコード３５ａの対応するカラムに書き込む（Ｓ６６）。
【００９０】
次に，サーバ装置３のスレッド生成手段３１は，スレッド生成要求に含まれる口コミ情報を最初のレコード３５ａの対応するカラムに書き込み（Ｓ６７），スレッド生成要求に含まれる位置情報を最初のレコード３５ａの対応するカラムに書き込み（Ｓ６８），スレッド生成要求が送信された時点の日時を投稿日時として最初のレコード３５ａの対応するカラムに書き込んで，この手順を終了する（Ｓ６９）。
【００９１】
次に，サーバ装置３に備えられた口コミ情報登録手段３２について説明する。サーバ装置３の口コミ情報登録手段３２は，口コミ情報を登録するセッションを実行する手段で，携帯端末２から口コミ登録要求を受信すると，口コミ登録要求に含まれる口コミ情報等を記憶するために，これから述べる手順を実行する。
【００９２】
図１５は，サーバ装置３の口コミ情報登録手段３２が実行する手順を示したフロー図である。サーバ装置３に備えられた口コミ情報登録手段３２は，口コミ情報を登録するＵＲＬに対して携帯端末２から口コミ登録要求が送信されると，携帯端末２から送信された口コミ情報を登録する処理を開始する（Ｓ７０）。
【００９３】
サーバ装置３の口コミ情報登録手段３２は，携帯端末２から口コミ登録要求が送信されると，口コミ登録要求に含まれるスレッドＩＤに対応する口コミテーブル３５を，携帯端末２から送信された口コミ情報を登録する口コミテーブル３５として特定する（Ｓ７１）。
【００９４】
サーバ装置３の口コミ情報登録手段３２は，特定した口コミテーブル３５に各カラムの値が初期値のレコード３５ａを新規に追加し（Ｓ７２），新規に追加したレコード３５ａの口コミＩＤの値を所定のアルゴリズム（例えば，連番）で生成し，生成した値を新規に追加したレコード３５ａの対応するカラムに書き込む（Ｓ７３）。
【００９５】
次に，サーバ装置３の口コミ情報登録手段３２は，口コミ登録要求に含まれる口コミ情報を新規に追加したレコード３５ａの対応するカラムに書き込み（Ｓ７４），該口コミ情報に付加された位置情報を新規に追加したレコード３５ａの対応するカラムに書き込み（Ｓ７５），口コミ情報が送信された時点の日時を投稿日時として新規に追加したレコードの対応するカラムに書き込む（Ｓ７６）。
【００９６】
サーバ装置３の口コミ情報登録手段３２は，口コミテーブル３５を更新すると，スレッドテーブル３４に設けられているレコード３４ａの中から，口コミ登録要求に含まれるスレッドＩＤで特定されるレコード３４ａを，スレッドの属性情報を更新するレコード３４ａとして特定する（Ｓ７７）。
【００９７】
サーバ装置３の口コミ情報登録手段３２は，特定したレコード３４ａの口コミ件数を一つインクリメントすることで，口コミ情報が投稿されたスレッドの属性情報の口コミ件数を更新した後（Ｓ７８），Ｓ６１で特定した口コミテーブル３５に記憶されている全ての位置情報の重心位置を所定のアルゴリズムによって算出する（Ｓ７９）。
【００９８】
サーバ装置３の口コミ情報登録手段３２は，Ｓ６１で特定した口コミテーブル３５に記憶されている全ての位置情報の重心位置を算出すると，Ｓ６６で特定したレコード３４ａの位置情報を算出した重心位置に書き換えることで，口コミ情報が投稿されたスレッドの属性情報の位置情報を更新した後（Ｓ８０），該レコードの更新日時をこの時点の日時に書き換えることで，口コミ情報が投稿されたスレッドの属性情報の更新日時を更新して（Ｓ８１），この手順を終了する。
【００９９】
図１６は，スレッドの位置情報の補正効果を説明する図である。図１６の地点Ｐ０はスレッドが立ち上げられた地点で，地点Ｐ１及び地点Ｐ２それぞれは，１回目及び２回目の口コミ情報が投稿された地点である。
【０１００】
図１６のＳＰ０はスレッドが立ち上げられたときのスレッドの位置で，スレッドが立ち上げられたときのスレッドの位置であるＳＰ０と地点ＰＯは同一である。ＳＰ１は，１回目の投稿がなされた後のスレッドの位置で，地点Ｐ０と地点Ｐ１の重心位置になる。更に，ＳＰ２は，２回目の投稿がなされた後のスレッドの位置で，地点Ｐ０，地点Ｐ１及び地点Ｐ２の重心位置になる。
【０１０１】
このように，各地点の位置にばらつきがあっても，スレッドには，スレッドに対応する対象物に係る口コミ情報が集まるため，スレッドに投稿された全ての口コミ情報に付加された位置情報の重心位置を演算することで，携帯端末２で計測した位置情報の誤差は低減でき，スレッドに対応する対象物の位置情報を正確に求めることができるようになる。
【０１０２】
（変形例）
ここから，上述した実施形態の変形例について説明する。上述した実施形態では，サーバ装置３に口コミ情報を投稿するイベントを，タッチパネル２ｇ上に表示されているアイコン（例えば，図５のアイコン）のタップなどと記載していたが，電子決済機能を備えた携帯端末２の場合，携帯端末２に実装される電子掲示板アプリケーション２００を，携帯端末の電子機能と連動する仕様にし，店舗における電子決済処理の実行をサーバ装置３に口コミ情報を投稿するイベントにすれば，電子決済できる端末が設置されている場所は固定であるため，スレッドとなる対象（ここでは，店舗）の位置をより正確な値にすることができる。
【０１０３】
変形例において，携帯端末２に備えられるハードウェアは図２とほぼ同様であるため説明を省くが，図２に加えて，電子決済に必要なハードウェア（例えば，ＦｅｌｉＣａ（登録商標）のＩＣチップ）が携帯端末２に備えられる。
【０１０４】
変形例において，電子決済処理の実行をサーバ装置３に口コミ情報を投稿するイベントとする場合，電子掲示板アプリケーション２００が起動しているときに，携帯端末５における電子決済処理が発生すると，携帯端末２の投稿手段２４が自動的に起動して，投稿手段２４は，口コミ情報の投稿に係る処理を開始し，図４のＳ２１から図４で図示したの手順を実行する。
【符号の説明】
【０１０５】
１    電子掲示板システム
２    携帯端末
２０  位置計測手段
２１  撮影手段
２２  方位計測手段
２３  モーション検出手段
２４  スレッド表示手段
２５  投稿手段
２６  スレッド生成要求手段
３    サーバ装置
３０  スレッド送信手段
３１  スレッド生成手段
３２  口コミ情報登録手段
３３  ユーザ認証手段
３４  スレッドテーブル
３５  口コミテーブル
４ａ  公衆無線回線網
４ｂ  インターネット
【図１】
0005644379.tif 000002
【図２】
0005644379.tif 000003
【図３】
0005644379.tif 000004
【図４】
0005644379.tif 000005
【図５】
0005644379.tif 000006
【図６】
0005644379.tif 000007
【図７】
0005644379.tif 000008
【図８】
0005644379.tif 000009
【図９】
0005644379.tif 000010
【図１０】
0005644379.tif 000011
【図１１】
0005644379.tif 000012
【図１２】
0005644379.tif 000013
【図１３】
0005644379.tif 000014
【図１４】
0005644379.tif 000015
【図１５】
0005644379.tif 000016
【図１６】
0005644379.tif 000017